【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
構造化されたデータを受信するためのコンピュータ実装方法であって、
バックエンドデータローダーにより、コンピュータプログラムプロダクツからバックエンドデータを受信するステップであって、前記バックエンドデータはノードを使用して構造化され、前記ノードは一意の識別子と関連付けられ、前記ノードは前記一意の識別子を使用してアドレス指定可能であり、特定のバックエンドデータ項目は対応するアドレス指定可能なノードに関連付けられるステップと、
フロントエンドデータローダーにより、コンピュータプログラムプロダクツからフロントエンドデータを受信するステップであって、前記フロントエンドデータはノードを使用して構造化され、前記ノードは一意の識別子と関連付けられ、前記ノードは前記一意の識別子を使用してアドレス指定可能で、前記フロントエンドデータは前記受信されたバックエンドデータの特定のバックエンドデータ項目を表示するための情報を含むステップと、
ディスプレイモジュールにより、前記特定のデータ項目を表示するため受信したフロントエンドデータに応答して前記特定のバックエンドデータ項目を表示するステップと
を備えることを特徴する方法。
【請求項２】
前記特定のバックエンドデータ項目を表示するための前記受信したフロントエンドデータは、前記特定のデータ項目を表示するための前記受信したフロントエンドデータに関連する一意の識別子を使用してアドレス指定されることを特徴とする請求項１記載の方法。
【請求項３】
前記表示された特定のバックエンドデータ項目は前記データ項目のための予め計算されたハッシュを使用して特定され、前記予め計算されたハッシュは前記受信したバックエンドデータ内で特定されることを特徴とする請求項１記載の方法。
【請求項４】
前記受信した特定のバックエンドデータ項目は、前記受信したバックエンドデータに格納された予め計算されたハッシュ関数結果を使用してアドレス指定可能なことを特徴とする請求項１記載の方法。
【請求項５】
前記受信した特定のバックエンドデータ項目は、前記受信したバックエンドデータに格納された予め計算されたインデックスを使用してアドレス指定可能なことを特徴とする請求項１記載の方法。
【請求項６】
前記バックエンドデータは、前記フロントエンドデータが受信される前に受信されることを特徴とする請求項１記載の方法。
【請求項７】
特定のバックエンドデータ項目を表示するための前記情報は、バックエンド情報の最後に使用されたビューに関連する情報を含むことを特徴とする請求項１記載の方法。
【請求項８】
構造化されたデータを受信するためのシステムであって、
コンピュータプログラムからコンピュータプログラムプロダクツにバックエンドデータ及びフロントエンドデータを保存するためのファイルライターであって、
前記バックエンドデータはノードを使用して構造化され、前記ノードは一意の識別子に関連付けられ、前記ノードは前記一意の識別子を使用してアドレス指定可能であり、特定のバックエンドデータ項目は対応するアドレス指定可能なノードに関連付けられており、
前記フロントエンドデータはノードを使用して構造化され、前記ノードは一意の識別子と関連付けられ、前記ノードは前記一意の識別子を使用してアドレス指定可能であり、前記フロントエンドデータは前記受信されたバックエンドデータの特定のバックエンドデータ項目を表示するための情報を含んでいる、ファイルライターと、
コンピュータプログラムプロダクツからバックエンドデータを受信するためのバックエンドデータローダーと、
コンピュータプログラムプロダクツから前記フロントエンドデータを受信するためのフロントエンドデータローダーと、
前記特定のデータ項目を表示するためのフロントエンドデータを受信したことに応答して前記特定のバックエンドデータ項目を表示するためのディスプレイモジュールと
を備えることを特徴とするシステム。
【請求項９】
前記特定のバックエンドデータ項目を表示するための前記受信したフロントエンドデータは、前記特定のデータ項目を表示するための前記受信したフロントエンドデータに関連する一意の識別子を使用してアドレス指定されることを特徴とする請求項８記載のシステム。
【請求項１０】
前記表示された特定のバックエンドデータ項目は、前記データ項目のための予め計算されたハッシュを使用して特定され、前記予め計算されたハッシュは前記受信したバックエンドデータ内で特定されることを特徴とする請求項８記載のシステム。
【請求項１１】
前記受信した特定のバックエンドデータ項目は、前記受信したバックエンドデータに格納された予め計算されたハッシュ関数結果を使用してアドレス指定可能なことを特徴とする請求項８記載のシステム。
【請求項１２】
前記受信した特定のバックエンドデータ項目は、前記受信したバックエンドデータに格納された予め計算されたインデックスを使用してアドレス指定可能なことを特徴とする請求項８記載のシステム。
【請求項１３】
前記バックエンドデータは、前記フロントエンドデータが受信される前に受信されることを特徴とする請求項８記載のシステム。
【請求項１４】
特定のバックエンドデータ項目を表示するための前記情報は、バックエンド情報の最後に使用されたビューに関連する情報を含むことを特徴とする請求項８記載のシステム。
【請求項１５】
構造化されたデータを受信するためのシステムであって、
コンピュータプログラムプロダクツからバックエンドデータを受信する手段であって、前記バックエンドデータはノードを使用して構造化され、前記ノードは一意の識別子と関連付けられ、前記ノードは前記一意の識別子を使用してアドレス指定可能であり、特定のバックエンドエータ項目は対応するアドレス指定可能なノードに関連付けられる手段と、
コンピュータプログラムプロダクツからフロントエンドデータを受信する手段であって、前記フロントエンドデータはノードを使用して構造化され、前記ノードは一意の識別子と関連付けられ、前記ノードは前記一意の識別子を使用してアドレス指定可能であり、前記フロントエンドデータは前記受信されたバックエンドデータの特定のバックエンドデータ項目を表示するための情報を含む手段と、
前記特定のデータ項目を表示するための受信したフロントエンドデータに応答して前記特定のバックエンドデータ項目を表示する手段と
を備えることを特徴するシステム。
【請求項１６】
前記特定のバックエンドデータ項目を表示するための前記受信したフロントエンドデータは、前記特定のデータ項目を表示するための前記受信したフロントエンドデータに関連する一意の識別子を使用してアドレス指定されることを特徴とする請求項１５記載のシステム。
【請求項１７】
前記受信した特定のバックエンドデータ項目は、前記受信したバックエンドデータに格納された予め計算されたハッシュ関数結果を使用してアドレス指定可能なことを特徴とする請求項１５記載のシステム。
【請求項１８】
前記受信した特定のバックエンドデータ項目は、前記受信したバックエンドデータに格納された予め計算されたインデックスを使用してアドレス指定可能なことを特徴とする請求項１５記載のシステム。
【請求項１９】
前記バックエンドデータは、前記フロントエンドデータが受信される前に受信されることを特徴とする請求項１５記載のシステム。
【請求項２０】
特定のバックエンドデータ項目を表示するための前記情報は、バックエンド情報の最後に使用されたビューに関連する情報を含むことを特徴とする請求項１５記載のシステム。